(57)【要約】      （修正有）【課題】ゴム栓によるシール性のばらつきを小さくする。【解決手段】一対の半割体２０、３０で構成され、コネクタハウジング５１の後方に取り付けられるコネクタカバーであって、一方の半割体２０に設けられ、コネクタハウジング５１の後端部に装着されたゴム栓６０の近傍に配置され、かつ、電線Ｗを貫通させるゴム栓６０の貫通孔６１の軸心の延長線Ｌを挟む位置に上下一対のリブ２２Ｕ、２２Ｌを有し、貫通孔６１から後方に引き出された小径電線Ｗ１を屈曲させる第１の電線ガイド部２２と、第１の電線ガイド部２２によって屈曲された小径電線Ｗ１を、第１の電線ガイド部２２とは逆方向に屈曲させる第２の電線ガイド部２３とを備えた。【選択図】図３
2010062034.tif 000002
【特許請求の範囲】
【請求項１】
一対の半割体で構成され、コネクタハウジングの後方に取り付けられるコネクタカバーであって、
一方の前記半割体に設けられ、前記コネクタハウジングの後端部に装着されたゴム栓の近傍に配置され、かつ、電線を貫通させる前記ゴム栓の貫通孔の軸心の延長線を挟む位置に一対のリブを有し、前記貫通孔から後方に引き出された前記電線を屈曲させる第１の電線ガイド部と、
前記第１の電線ガイド部によって屈曲された前記電線を、前記第１の電線ガイド部とは逆方向に屈曲させる第２の電線ガイド部とを備えたことを特徴とするコネクタカバー。
【請求項２】
前記第２の電線ガイド部は、前記電線の一部を露出させた態様で同電線を収容する電線収容溝を有し、前記他方の半割体は、前記電線の露出部分を支持する支持部を有する請求項１に記載のコネクタカバー。
【請求項３】
前記第２の電線ガイド部は、前記第１の電線ガイド部に対して前記延長線の延びる方向と直交する方向に並ぶ請求項１または請求項２に記載のコネクタカバー。
【請求項４】
前記電線収容溝に、前記電線を圧入状態で保持する圧入リブを設けた請求項２または請求項３に記載のコネクタカバー。
【発明の詳細な説明】
【技術分野】
【０００１】
本発明は、一対の半割体で構成され、コネクタハウジングの後方に取り付けられるコネクタカバーに関する。
【背景技術】
【０００２】
この種のコネクタカバーとして、例えば下記特許文献１に記載のコネクタカバーが知られている。コネクタハウジングの後端部にはゴム栓が装着されている。コネクタカバーは、ゴム栓の貫通孔を貫通して後方に引き出された電線をコネクタカバー内の内壁に突き当てて前方に折り返した後、この電線を後方に折り返す構成とされている。このように電線を２度も折り返して屈曲させている理由は、折り返しがない構成とした場合にコネクタカバーの全長が長くなり、コネクタカバーが外力を受けやすくなって破損しやすくなるためである。そこで、コネクタカバーの内部で電線を屈曲させることにより、コネクタカバーの全長を短くしている。
【特許文献１】特開平９−２９３５５６号公報
【発明の開示】
【発明が解決しようとする課題】
【０００３】
しかしながら、上記の構成では、電線がゴム栓から後方に出たところで直ぐに屈曲しているため、電線とゴム栓との間のシール性あるいはゴム栓とこのゴム栓を収容しているゴム栓収容部との間のシール性が低下しやすくなる。このため、シール性のばらつきが大きくなる（漏れが生ずるエア圧力を測定する方法によって行われるシール性の評価試験においてエア圧力のばらつきが大きくなる）。
【０００４】
本発明は上記のような事情に基づいて完成されたものであって、ゴム栓によるシール性のばらつきを小さくすることを目的とする。
【課題を解決するための手段】
【０００５】
本発明は、一対の半割体で構成され、コネクタハウジングの後方に取り付けられるコネクタカバーであって、一方の半割体に設けられ、コネクタハウジングの後端部に装着されたゴム栓の近傍に配置され、かつ、電線を貫通させるゴム栓の貫通孔の軸心の延長線を挟む位置に一対のリブを有し、貫通孔から後方に引き出された電線を屈曲させる第１の電線ガイド部と、第１の電線ガイド部によって屈曲された電線を、第１の電線ガイド部とは逆方向に屈曲させる第２の電線ガイド部とを備えた構成としたところに特徴を有する。
【０００６】
このような構成によると、ゴム栓の貫通孔から後方に引き出された電線を第１の電線ガイド部によって屈曲させた後、第２の電線ガイド部によって第１の電線ガイド部とは逆方向に屈曲させることができる。この際、電線をゴム栓から出たところで直ぐに屈曲させることなく一対のリブによって直線状に引き出すことができるため、ゴム栓によるシール性のばらつきを小さくできる。
【０００７】
本発明の実施の態様として、以下の構成が好ましい。
第２の電線ガイド部は、電線の一部を露出させた態様で同電線を収容する電線収容溝を有し、他方の半割体は、電線の露出部分を支持する支持部を有する構成としてもよい。
このような構成によると、電線収容溝に収容された電線の露出部分を支持部で支持できるため、電線の離脱を防ぐことができる。
【０００８】
第２の電線ガイド部は、第１の電線ガイド部に対して延長線の延びる方向と直交する方向に並ぶ構成としてもよい。
このような構成によると、コネクタカバーの全長を前後方向に短くすることができる。
【０００９】
電線収容溝に、電線を圧入状態で保持する圧入リブを設けた構成としてもよい。
このような構成によると、電線を圧入リブに圧入することによって電線収容溝に圧入状態で保持することができる。
【発明の効果】
【００１０】
本発明によれば、ゴム栓によるシール性のばらつきを小さくできる。
【発明を実施するための最良の形態】
【００１１】
＜実施形態１＞
本発明の実施形態１を図１ないし図１１の図面を参照しながら説明する。図１は、本実施形態のコネクタカバー１０をコネクタ５０の後方に取り付けた状態を示す斜視図である。コネクタカバー１０は、可撓性を有するヒンジ部４０により連結された一対の半割体２０，３０を互いに組み付けることによって構成されている。コネクタカバー１０は、図２に示す両半割体２０，３０の組み付け状態では、前方に開口するフード状をなしてコネクタ５０のコネクタハウジング５１を収容するコネクタ収容部１１と、コネクタハウジング５１から後方に引き出された電線Ｗを収容する電線収容部１２とを備えている。
【００１２】
コネクタハウジング５１の後端部５１Ｒにおける左右両側には、図３に示すように、一対のハウジング係止部５２が突出して設けられている。このハウジング係止部５２は、コネクタ収容部１１の両側面部１１Ｓに貫通して設けられた抜け止め孔１３に嵌合し、前後方向に係止可能とされている。ハウジング係止部５２を抜け止め孔１３に嵌合して両半割体２０，３０を組み付けると、コネクタハウジング５１がコネクタ収容部１１の内部に抜止状態に保持される。
【００１３】
次に、両半割体２０，３０を組み付け状態にロックするロック構造について説明する。本実施形態のロック構造としては、３箇所のロック部がコネクタカバー１０の上下両側に分かれて設けられている。
【００１４】
第１のロック部は、コネクタ収容部１１の上面部１１Ｕに設けられている。この第１のロック部は、図４に示すように、一方の半割体２０に設けられた第１のロック突部１４Ａと、他方の半割体３０に設けられた第１のロック孔１４Ｂとによって構成されている。図８は、他方の半割体３０における第１のロック孔１４Ｂを下方から見た図（図４におけるＡ−Ａ線断面図）である。第１のロック孔１４Ｂは、一方の半割体２０の一側突き当て部２１と突き当たる他側突き当て部３１から突出して設けられた第１のロック片３２Ａを上下方向に貫通して形成されている。第１のロック突部１４Ａは、図９に示す両突き当て部２１，３１の突き当て状態で第１のロック孔１４Ｂの内周壁（ロック片３２Ａ）と左右方向に係止する。
【００１５】
第２のロック部は、コネクタ収容部１１の下面部１１Ｌに設けられている。この第２のロック部は、図４に示すように、一方の半割体２０に設けられた第２のロック突部１５Ａと、他方の半割体３０に設けられた第２のロック孔１５Ｂとによって構成されている。第２のロック孔１５Ｂは、図７に示すように、他側突き当て部３１から突出して設けられた第２のロック片３２Ｂを上下方向に貫通して形成されている。第２のロック突部１５Ａは、図１０に示す両突き当て部２１，３１の突き当て状態で第２のロック孔１５Ｂの内周壁（ロック片３２Ｂ）と左右方向に係止する。
【００１６】
第３のロック部は、電線収容部１２の下面側を構成する支持部１２Ｌに設けられている。この第３のロック部は、図４に示すように、一方の半割体２０に設けられた第３のロック突部１６Ａと、他方の半割体３０に設けられた第３のロック孔１６Ｂとによって構成されている。第３のロック孔１６Ｂは、図６に示すように、支持部１２Ｌの先端を除く部分を左右方向に切り欠いて上下方向に貫通して形成されている。第３のロック突部１６Ａは、図１１に示すように、第３のロック孔１６Ｂを構成する内壁（支持部１２Ｌの先端）と左右方向に係止する。
【００１７】
次に、電線収容部１２における電線Ｗの配設構造について説明する。コネクタハウジング５１の後端部５１Ｒには、ゴム栓６０を装着するゴム栓装着孔（図示せず）が前後方向に貫通して設けられている。このゴム栓装着孔には、電線Ｗを貫通させる貫通孔６１が貫通して形成されたゴム栓６０が装着可能である。なお、ゴム栓装着孔の後端部は、コネクタハウジング５１の後端部５１Ｒと前後方向に揃う位置とされている。また、ゴム栓挿通孔は、端子金具（図示せず）を収容するキャビティと連通して同キャビティの後方に設けられている。
【００１８】
ゴム栓６０は、図３に示すように、ゴム栓装着孔の後端部よりも後方に飛び出した状態で装着されている。このような状態で装着する理由は、電線Ｗが振られた場合に、ゴム栓６０とゴム栓装着孔との間あるいは電線Ｗと貫通孔６１との間に隙間ができにくく、外部から水がゴム栓装着孔を通ってキャビティ内に浸入しにくくなるためである。
【００１９】
一方の半割体２０においてゴム栓６０の近傍には、図３に示すように、第１の電線ガイド部２２が設けられている。第１の電線ガイド部２２は、対向状態をなして配置された上下一対のリブ２２Ｕ，２２Ｌを有している。両リブ２２Ｕ，２２Ｌは、電線収容部１２の側面部１２Ｓから突出して設けられている。また、両リブ２２Ｕ，２２Ｌは、貫通孔６１の軸心の延長線Ｌを上下に挟む位置にそれぞれ配置されている。
【００２０】
ところで、本実施形態の電線Ｗは、２本の小径をなす小径電線Ｗ１を束ね、これらの小径電線Ｗ１を絶縁性の樹脂でシースすることによって構成されている。電線Ｗの端末には、絶縁性の樹脂を除去することによって小径電線Ｗ１が露出されている。さらに、小径電線Ｗ１の端末には、絶縁性の樹脂からなる被覆を除去することによって芯線が露出され、この芯線が端子金具のバレルによってかしめられることで芯線と端子金具とが導通可能に接続されている。
【００２１】
下側リブ２２Ｌの後端部には、Ｒ形状をなす屈曲面が形成されている。ゴム栓６０の貫通孔６１から後方に引き出された小径電線Ｗ１は、前記屈曲面によって斜め前方に屈曲される。
【００２２】
電線収容部１２の側面部１２Ｓにおいて下側リブ２２Ｌの下方には、第２の電線ガイド部２３が設けられている。この第２の電線ガイド部２３は、第１の電線ガイド部２２に対して延長線Ｌの延びる方向と直交する方向（上下方向）に並んで配置されている。また、第２の電線ガイド部２３は、図１１に示すように、下側に開放された電線収容溝２３Ａを備えている。電線収容溝２３Ａの内壁には、複数の圧入リブ２３Ｂが左右両側に対向状態で設けられている。この左右両側の圧入リブ２３Ｂによって電線Ｗが電線収容溝２３Ａの内部に圧入状態で保持される。なお、小径電線Ｗ１における電線Ｗ側の端部は、第２の電線ガイド部２３の前端よりやや前方の位置とされている。
【００２３】
また、電線Ｗが電線収容溝２３Ａに収容されると、電線Ｗの下部が下方に露出することになるものの、電線収容溝２３Ａの下側には、支持部１２Ｌが配置されるため、電線Ｗの露出部分を支持部１２Ｌによって支持することができ、電線Ｗを電線収容溝２３Ａの内部に保持することができる。これにより、第１の電線ガイド部２２によって斜め前方に屈曲された小径電線Ｗ１は、第２の電線ガイド部２３の前方位置で後方に屈曲される。なお、他方の半割体３０には、小径電線Ｗ１の屈曲部分の前方に配置されて小径電線Ｗ１を前方から保護する保護壁３３が突出して設けられている。
【００２４】
本実施形態は以上のような構成であって、続いてその作用を説明する。まず、電線Ｗが備え付けられたコネクタ５０を一方の半割体２０の内面側に取り付け、ハウジング係止部５２を抜け止め孔１３に嵌合させる。ゴム栓６０の貫通孔６１から後方に引き出された小径電線Ｗ１を両リブ２２Ｕ，２２Ｌ間に通し、下側リブ２２Ｌの後端屈曲面で折り返し、斜め前方に屈曲させる。さらに、小径電線Ｗ１を第２の電線ガイド部２３の前方位置で後方に屈曲させるとともに、電線Ｗを電線収容溝２３Ａ内に押し込む。このとき電線Ｗは、圧入リブ２３Ｂによって圧入状態で保持される。
【００２５】
次に、ヒンジ部４０を折り曲げて他方の半割体３０によってコネクタ５０を覆うようにして両半割体２０，３０を互いに組み付ける。これにより、他方の半割体３０の抜け止め孔１３がハウジング係止部５２に嵌合し、第１のロック突部１４Ａが第１のロック孔１４Ｂに嵌合し、第２のロック突部１５Ａが第２のロック孔１５Ｂに嵌合し、第３のロック突部１６Ａが第３のロック孔１６Ｂに嵌合する。こうして、両半割体２０，３０によってコネクタカバー１０が構成されるとともに、コネクタ５０がコネクタ収容部１１内に抜け止め状態に保持される。これにより、小径電線Ｗ１および電線Ｗが電線収容部１２によって覆われる。特にタイヤ裏の低い場所に設置されるＡＢＳセンサのコネクタの場合には、小径電線Ｗ１を飛び石などから保護することができる。
【００２６】
このようにしてコネクタカバー１０が取り付けられたコネクタ５０は、シール性試験を行うことにより防水性能の検査が行われる。具体的には、コネクタカバー１０が取り付けられたコネクタ５０に対し、キャビティ内にエアを送り込み、エア漏れが発生するエア圧力を測定することによって、シール性の評価を行う。本実施形態ではゴム栓６０の貫通孔６１から後方に引き出された小径電線Ｗ１が直ぐに屈曲されることなく、ゴム栓６０の近傍に配置された両リブ２２Ｕ，２２Ｌによって小径電線Ｗ１が直線状に保持されているから、ゴム栓６０とゴム栓装着孔との間あるいは小径電線Ｗ１とゴム栓６０の貫通孔６１との間に隙間が生じにくく、エア漏れが発生しにくい。このため、エア圧力のばらつきを小さくすることができる。
【００２７】
以上のように本実施形態ではゴム栓６０の近傍に貫通孔６１の軸心の延長線Ｌを挟む一対のリブ２２Ｕ，２２Ｌを設けたから、貫通孔６１から後方に引き出された小径電線Ｗ１を直線状に保持することができ、ゴム栓６０によるシール性のばらつきを小さくすることができる。
【００２８】
また、他方の半割体３０に支持部１２Ｌを設けたから、第２の電線ガイド部２３の電線収容溝２３Ａに収容された電線Ｗを支持することができる。また、圧入リブ２３Ｂによって電線Ｗを電線収容溝２３Ａ内に圧入状態で保持することができる。
【００２９】
また、第２の電線ガイド部２３を第１の電線ガイド部２２に対して延長線Ｌの延びる方向と交差する方向に配置したから、電線収容部１２を前後方向にコンパクトに構成することができ、他の部材との干渉を回避することができる。
【００３０】
＜他の実施形態＞
本発明は上記記述及び図面によって説明した実施形態に限定されるものではなく、例えば次のような実施形態も本発明の技術的範囲に含まれる。
（１）本実施形態では電線Ｗを収容する第２の電線ガイド部２３として下側に開放された形態をなす電線収容溝２３Ａを例示しているものの、本発明によると、第２の電線ガイド部２３を前後方向に貫通して形成されて電線収容孔に電線Ｗを挿入してもよい。
【００３１】
（２）本実施形態では電線収容溝２３Ａ内に圧入リブ２３Ｂを設けているものの、本発明によると、第１の電線ガイド部２２と同様に、第２の電線ガイド部２３として一対のリブを側面部１２Ｓから突出して設け、これらのリブの間に電線Ｗを圧入してもよい。
【００３２】
（３）本実施形態では第２の電線ガイド部２３を第１の電線ガイド部２２の下方に配置しているものの、本発明によると、第２の電線ガイド部２３を第１の電線ガイド部２２の側方に配置してもよい。このようにした場合、電線Ｗを第２の電線ガイド部２３から後方に引き出す必要はなく、側方に引き出してもよい。
【図面の簡単な説明】
【００３３】
【図１】コネクタハウジングの後方にコネクタカバーが取り付けられた状態を示した斜視図
【図２】コネクタカバー単体の内部構造を斜め前方から見た斜視図
【図３】一方の半割体にコネクタハウジングを取り付けて他方の半割体を組み付ける前の状態を示した正面図
【図４】組み付け前のコネクタカバー単体の正面図
【図５】組み付け前のコネクタカバー単体の平面図
【図６】組み付け前のコネクタカバー単体の底面図
【図７】図４のＢ−Ｂ線断面図
【図８】図４のＡ−Ａ線断面図
【図９】第１のロック部のロック状態を示した断面図
【図１０】第２のロック部のロック状態を示した断面図
【図１１】第３のロック部のロック状態を示した断面図
【符号の説明】
【００３４】
１０…コネクタカバー
２０…一方の半割体
２２…第１の電線ガイド部
２２Ｕ…上側リブ
２２Ｌ…下側リブ
２３…第２の電線ガイド部
２３Ａ…電線収容溝
２３Ｂ…圧入リブ
３０…他方の半割体
５０…コネクタ
５１…コネクタハウジング
６０…ゴム栓
６１…貫通孔
Ｌ…貫通孔の軸心の延長線
Ｗ…電線
Ｗ１…小径電線
【図１】
2010062034.tif 000003
【図２】
2010062034.tif 000004
【図３】
2010062034.tif 000005
【図４】
2010062034.tif 000006
【図５】
2010062034.tif 000007
【図６】
2010062034.tif 000008
【図７】
2010062034.tif 000009
【図８】
2010062034.tif 000010
【図９】
2010062034.tif 000011
【図１０】
2010062034.tif 000012
【図１１】
2010062034.tif 000013